(57)【要約】【課題】  複数のエージェントへ画像データを転送するシステムおよび方法を提供するもので、特にスキャニング装置のような文書読取装置から複数のエージェントに画像データを転送するシステムを提供する。【解決手段】  関連する文書読取装置から画像データを受信する手段と、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するための手段と、各エージェントへのデータ転送選択信号に従って関連する文書読取装置から各関連エージェントに、データ転送システムを介して画像データが文書読取装置から個々のエージェントに連続して転送されるように、画像を転送する手段とからなる。【選択図】  図１  
2004222277.tif 000002
【特許請求の範囲】
【請求項１】
関連する文書読取装置から画像データを受信するのに適した手段と、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するために適した手段と、各エージェントへのデータ転送選択信号に従って関連する文書読取装置から各関連エージェントに、データ転送システムを介して画像データが文書読取装置から個々のエージェントに連続して転送されるように、画像を転送するのに適した手段とからなる文書読取装置から複数の関連エージェントに画像データを転送するためのシステム。
【請求項２】
各エージェントに画像データを転送するための順番が文書読取装置により決定される請求項１に記載のシステム。
【請求項３】
各エージェントに画像データを転送するための順番がそれぞれ前のエージェントにより決定される請求項１に記載のシステム。
【請求項４】
文書読取装置から文書読取装置コントローラに画像データを転送することに適した手段、および個々のエージェントに対するデータ転送信号に従って文書読取装置コントローラから個々の関連エージェントに画像データを転送することに適した手段をさらに含む請求項１に記載のシステム。
【請求項５】
文書読取装置コントローラが少なくとも１つの選択されたデータ記憶領域を含んでおり、画像データが文書読取装置から少なくとも１つの選択されたデータ記憶領域に転送され、また画像データが少なくとも１つの選択されたデータ記憶領域から各エージェントに対するデータ転送信号に従って各エージェントに転送される請求項４に記載のシステム。
【請求項６】
少なくとも１つのデータ記憶領域を少なくとも１人のユーザと関連づけるのに適した手段をさらに含む請求項５に記載のシステム。
【請求項７】
少なくとも１つのデータ記憶領域について選択された情報に対して関連するユーザをプロンプトするのに適した手段と、ユーザをプロンプトした後ユーザに選択されたデータ記憶領域を指定し、関連するユーザ選択データにしたがって受信することに適した手段とをさらに含む請求項６に記載のシステム。
【請求項８】
選択された情報がデータ記憶領域位置、データ記憶領域名、アクセス権、データ記憶領域に関連したユーザ名、およびユーザ名パスワードの少なくとも１つを含んでいる請求項４に記載のシステム。
【請求項９】
各関連エージェントに画像データを転送する前に文書読取装置コントローラが画像データを選択されたフォーマットに変換するのに適した手段を含む請求項２に記載のシステム。
【請求項１０】
文書読取装置コントローラが画像データをまずレクタ・フォーマットに変換し、次にその画像を選択されたフォーマットに変換するのに適した手段を含む請求項９に記載のシステム。
【請求項１１】
画像データの生成に対するパラメータを選択することに適した手段をさらに含む請求項１に記載のシステム。
【請求項１２】
データ転送フォーマットがＴＩＦＦとＰＤＦからなるグループから選択される請求項１に記載のシステム。
【請求項１３】
文書読取装置が画像生成装置である請求項１に記載のシステム。
【請求項１４】
関連するエージェントがストレージ・レポジトリ、サーバ、画像生成装置および光学文字認識システムを含む請求項１に記載のシステム。
【請求項１５】
関連する文書読取装置から画像データを受信するステップと、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するステップと、各エージェントへのデータ転送選択信号に従って関連する文書読取装置から各関連エージェントに、データ転送システムを介して画像データが文書読取装置から個々のエージェントに連続して転送されるように、画像を転送するステップとからなる文書読取装置から複数の関連エージェントに画像データを転送する方法。
【請求項１６】
各エージェントに画像データを転送するための順番が文書読取装置により決定される請求項１５に記載の方法。
【請求項１７】
各エージェントに画像データを転送するための順番がそれぞれの前のエージェントにより決定される請求項１５に記載の方法。
【請求項１８】
文書読取装置コントローラに文書読取装置から画像データを転送するステップと、文書読取装置コントローラから個々の関連エージェントに画像データを転送するステップをさらに含む請求項１５に記載の方法。
【請求項１９】
文書読取装置コントローラが少なくとも１つの選択されたデータ記憶領域を含んでおり、画像データが文書読取装置から少なくとも１つの選択されたデータ記憶領域に転送され、また、画像データが少なくとも１つの選択されたデータ記憶領域から各エージェントに対するデータ転送信号に従って各エージェントに転送される請求項１８に記載の方法。
【請求項２０】
少なくとも１つのデータ記憶領域を少なくとも１人のユーザと関連づけるステップをさらに含む請求項１５に記載の方法。
【請求項２１】
少なくとも１つのデータ記憶領域について選択された情報に対して関連するユーザをプロンプトするステップと、ユーザをプロンプトした後ユーザに選択されたデータ記憶領域を指定し関連するユーザ選択データにしたがって受信するステップとを更に含む請求項２０に記載の方法。
【請求項２２】
選択された情報がデータ記憶領域位置、データ記憶領域名、アクセス権、データ記憶領域に関連したユーザ名、およびユーザ名パスワードの少なくとも１つを含んでいる請求項２１に記載の方法。
【請求項２３】
各関連するエージェントに画像データを転送する前に文書読取装置コントローラにより画像データを選択されたフォーマットに変換するステップをさらに含む請求項１８に記載の方法。
【請求項２４】
画像データがまずレクタ・フォーマットに変換され、その画像データが次に選択されたフォーマットに変換される請求項２３に記載の方法。
【請求項２５】
画像データの生成に対するパラメータを選択するステップをさらに含む請求項１５に記載の方法。
【請求項２６】
データ転送フォーマットがＴＩＦＦとＰＤＦからなるグループから選択される請求項１５に記載の方法。
【請求項２７】
文書読取装置が画像生成装置である請求項１５に記載の方法。
【請求項２８】
関連するエージェントがストレージ・レポジトリ、サーバ、画像生成装置および光学文字認識システムを含む請求項１５に記載の方法。
【請求項２９】
関連する文書読取装置から画像データを受信するのに適した手段と、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するために適した手段と、各エージェントへのデータ転送選択信号に従って関連する文書読取装置から各関連エージェントに、データ転送システムを介して画像データが文書読取装置から個々のエージェントに連続して転送されるように、画像を転送するのに適した手段とからなる文書読取装置から複数の関連エージェントに画像データを転送するための命令を記録したコンピュータ読取り可能な媒体。
【請求項３０】
各エージェントに画像データを転送するための順番が文書読取装置により決定される命令を含む請求項２９に記載のコンピュータ読取り可能な媒体。
【請求項３１】
各エージェントに画像データを転送するための順番がそれぞれの前のエージェントにより決定される命令を含む請求項２９に記載のコンピュータ読取り可能な媒体。
【請求項３２】
文書読取装置から文書読取装置コントローラに画像データを転送することに適した手段、および個々のエージェントに対するデータ転送信号に従って文書読取装置コントローラから個々の関連エージェントに画像データを転送することに適した手段をさらに含む請求項２９に記載のコンピュータ読取り可能な媒体。
【請求項３３】
文書読取装置コントローラが少なくとも１つの選択されたデータ記憶領域を含んでおり、画像データが文書読取装置から少なくとも１つの選択されたデータ記憶領域に転送され、また画像データが少なくとも１つの選択されたデータ記憶領域から各エージェントに対するデータ転送信号に従って各エージェントに転送される命令を含む請求項３２に記載のコンピュータ読取り可能な媒体。
【請求項３４】
関連する文書読取装置から画像データを受信するステップと、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するステップと、各エージェントへのデータ転送選択信号に従って関連する文書読取装置から各関連エージェントに、データ転送システムを介して画像データが文書読取装置から個々のエージェントに連続して転送されるように、画像を転送するステップとからなる文書読取装置から複数の関連エージェントに画像データを転送するコンピュータにより実行される方法。
【請求項３５】
各エージェントに画像データを転送するための順番が文書読取装置により決定される請求項３４に記載のコンピュータにより実行される方法。
【請求項３６】
各エージェントに画像データを転送するための順番がそれぞれの前のエージェントにより決定される請求項３４に記載のコンピュータにより実行される方法。
【請求項３７】
文書読取装置コントローラに文書読取装置から画像データを転送し、個々のエージェントに対するデータ転送信号に従って文書読取装置コントローラから個々の関連エージェントに画像データを転送するステップをさらに含む請求項３４に記載のコンピュータにより実行される方法。
【請求項３８】
文書読取装置コントローラが少なくとも１つの選択されたデータ記憶領域を含んでおり、画像データが文書読取装置から少なくとも１つの選択されたデータ記憶領域に転送され、また画像データが少なくとも１つの選択されたデータ記憶領域から各エージェントに対するデータ転送信号に従って各エージェントに転送される請求項３７に記載のコンピュータにより実行される方法。
【発明の詳細な説明】
【技術分野】
【０００１】
本発明は、複数のエージェントへ画像データを転送するシステムおよび方法を提供することに関する。特にこの発明は、スキャニング装置のような文書読取装置から複数のエージェントに画像データを転送するシステム、および方法を提供することに関連する。
【背景技術】
【０００２】
一般的には、ユーザがスキャナ、複写機あるいは他の文書読取装置を利用する場合、生成された画像データはその後の処理のために共有ネットワーク・ドライブに保存される。
【０００３】
その後の処理実行のために、ユーザは共有ネットワーク・ドライブから画像データにアクセスし、データが生成された後、ローカルのワーク・ステーションにデータを移動させるために面倒な処理を行なう必要がある。例えばユーザが、光学文字認識デバイスおよび電子メール・サーバに画像データを転送したい場合、ユーザは、光学文字認識機能を持つデバイスにデータを移すとともに、電子メール・サーバにもデータを転送する必要がある。
【発明の開示】
【発明が解決しようとする課題】
【０００４】
ユーザは、画像を転送したい、あるいは画像を処理させたい個々のデバイスあるいはエージェントに対し、これらの中間ステップを実施しなければならない。
文書読取装置から、複数の異なるエージェントに対して容易に画像データを転送するシステムおよび方法が必要とされている。
【課題を解決するための手段】
【０００５】
本発明によれば、文書読取装置から複数の異なるエージェントに容易に画像データを転送するシステムおよび方法が提供される。
さらに、本発明によれば、文書読取装置から受信された画像データに対する、複数の処理用のシステムおよび方法が提供される。
【０００６】
またさらに、本発明によれば、文書読取装置から複数のエージェントに画像データを転送するためのシステムが提供される。システムは、関連する文書読取装置からの画像データ受信に適した手段を含む。システムは、さらに、個々の関連したエージェントに対する、関連データ転送信号を選択するために適した手段を有し、個々のデータ転送信号は、選択されたデータ転送フォーマットのデータ形式を含んでいて、この選択されたデータ転送フォーマットは個々のエージェントに対して同一となっている。システムは、各エージェントへのデータ転送選択信号に従って、関連する文書読取装置から各関連エージェントに、データ転送システムを介して画像を転送するのに適した手段を含み、画像データは文書読取装置から個々のエージェントに連続して転送される。
【０００７】
１つの実施例においてシステムは、文書読取装置から文書読取装置コントローラに画像データを転送することに適した手段、および個々のエージェントに対するデータ転送信号に従って、文書読取装置コントローラから個々の関連エージェントに画像データを転送することに適した手段をさらに含む。文書読取装置コントローラは少なくとも１つの選択されたデータ記憶領域を含み、画像データは少なくとも１つの選択されたデータ記憶領域に文書読取装置から転送され、また、画像データは各エージェントに対するデータ転送信号に従って、少なくとも１つの選択されたデータ記憶領域から個々のエージェントに転送される。
【０００８】
さらに、本発明によれば、文書読取装置から複数のエージェントに画像データを転送する方法が提供される。前記方法は、関連する文書読取装置からの画像データを受信し、および各関連するエージェントに対する関連データ転送信号を選択するもので、この各データ転送信号は、選択されたデータ転送フォーマットのデータ形式を含んでおり、選択されたデータ転送フォーマットは各エージェントに対して同一となっている。前記方法はさらに、各エージェントへのデータ転送選択信号に従って、関連する文書読取装置から各関連するエージェントに、データ転送システムを介して画像データを転送するようになっており、前記画像データは文書読取装置から各エージェントに連続して転送される。
【０００９】
１つの実施例において、前記方法は、文書読取装置から文書読取装置コントローラに画像データを転送すること、および個々のエージェントに対するデータ転送信号に従って、文書読取装置コントローラから個々の関連エージェントに画像データを転送することをさらに含んでいる。文書読取装置コントローラは少なくとも１つの選択されたデータ記憶領域を含んでおり、画像データは文書読取装置から少なくとも１つの選択されたデータ記憶領域に転送され、また、画像データは少なくとも１つの選択されたデータ記憶領域から各エージェントに対するデータ転送信号に従って各エージェントに転送されることが望ましい。
【発明を実施するための最良の形態】
【００１０】
本発明のシステムおよび方法のメリットは、文書読取装置と複数のエージェントとの間で容易に画像データを転送する機能と、画像データの複合処理を含むが、それに限定されるものではない。
本発明の別のメリット、アスペクト、また特色は、明細書を読み、理解することで当業者により理解される。
【実施例】
【００１１】
本発明は、文書読取装置から複数のエージェントに画像データを転送するシステムおよび方法を提供することを目的とする。図１は、全体を１００として示した本発明に従った前記システムの好ましい実施例のブロック図である。前記システムは、画像データの生成のために、スキャナあるいは複写機のような文書読取装置１０２を含む。前記文書読取装置は、一般的な文書読取装置である。前記文書読取装置は、スキャニング装置、複写装置およびファクシミリ装置であることが好ましい。前記文書読取装置はスキャニング装置あるいはファクシミリ装置であることがより好ましい。市場で利用されるいくらかの文書読取装置は、東芝ｅ−Ｓｔｕｄｉｏシリーズのコントローラを含むが、それに限定されない。
【００１２】
前記文書読取装置は、文書読取装置の機能を制御し、画像データを格納するための保存手段を組み込んだコントローラ１０４をさらに含む。
操作においては、ユーザが、画像データを生成するために文書読取装置へドキュメントあるいは他のデータを入力し、さらに画像データ生成に適した設定を選択する。前記画像データは、コントローラあるいは他の適当なメモリ・デバイス上にレクタ・ファイル１０６として格納される。その後、前記画像データはコントローラにより１０８に示されるように、ＴＩＦＦまたはＰＤＦのような適切なフォーマットに変換される。各エージェントに対して同一のフォーマットが使用される。コントローラ上の画像データにアクセスする為には、トランスファ・エージェントが使用される。データ転送セッションが通信リンク１１０で開始され、前記画像データはデータ転送システムを介して各エージェントへ連続して転送される。通信リンクは、有線あるいは無線通信の１つ以上のセグメントからなる。
【００１３】
好ましい実施例においては、図１の、１１２、１１４、１１６および１１８により示されるように、各エージェントに対するトランスファ・エージェントがある。１つの実施例において、前記画像データは、前記文書読取装置により決定された順番に、前記文書読取装置から各エージェントに転送される。別の実施例において、前記画像データは、前のトランスファ・エージェントにより決定された順番に、前記文書読取装置から各エージェントに転送される。
【００１４】
図１に示されるように、前記画像データは、データ転送信号に従って、前記文書読取装置から第１のトランスファ・エージェント１１２に転送される。その後、前記画像は、データ転送信号に従って前記第１のトランスファ・エージェントから第２のトランスファ・エージェント１１４に転送される。
【００１５】
好ましい実施例において、前記文書読取装置コントローラは少なくとも１つのデータ記憶領域あるいはメールボックスを含む。この実施例において、前記画像データは、少なくとも１つのデータ記憶領域に受信され、少なくとも１つのデータ記憶領域から複数のエージェントに転送される。さらに好ましい実施例においては、少なくとも１つのデータ記憶領域は少なくとも１つのシステム・ユーザと関連している。ユーザは、画像データを受信するためにデータ記憶領域を選択する。一般的な方法で、前記データ記憶領域について選択された情報を提供することにより、ユーザは適切なデータ記憶領域を認識する。そのような情報は、データ記憶領域位置、データ記憶領域名、アクセス権、データ記憶領域に関連したユーザ名、およびユーザ名パスワードを含むが、それに限定されない。ユーザにより入力された情報はその後確認され、本人であればユーザは、画像データを受信するため、また複数のエージェントへ画像データを転送するためにデータ記憶領域にアクセスすることを認められる。
【００１６】
コントローラ１０４は、画像データ生成のために望ましい設定を選択するのに適した手段、および画像の転送のために各エージェントに対して望ましいデータ転送信号を選択するのに適した手段を含む。
図２は、画像データの生成に適した設定を選択するための好ましいサンプル画面表示２００である。ユーザは２０２で、両面スキャン画像かどうかを選択する。その後、ユーザは２０４で回転、２０６でドキュメント・タイプ、２０８で解像度、２１０で露光、および２１２で原稿のサイズを指定する。ユーザはその後、設定を保存するためにＯＫボタン２１４を、あるいは設定を取り消すためにＣａｎｃｅｌボタン２１６を選択することができる。
【００１７】
図３は、システムが複数のエージェントに画像データを転送することを可能にするのための好ましいサンプル画面表示３００である。３０２に指定された部分は、文書読取装置から画像データを受信できる多様なエージェントを示す。システムが複数のエージェントに画像データを転送することを可能にするために、ユーザは３０４でそのオプションを選択する。一旦、このオプションが指定されると、システムは、シングル・ファイルフォーマットで画像データを複数のエージェントに転送する。画像データは、マルチページＴＩＦＦフォーマットに選択された複数のエージェントに転送されることが好ましい。一旦ユーザがこのオプションを選択したならば、ユーザは、設定を保存するためにＯＫボタン３０６を、あるいは設定を取り消すためにＣａｎｃｅｌボタン３０８を選択することができる。
【００１８】
図４は、画像データを受信し、メールボックスから画像データを受信するためにエージェントとメールボックスを関連付けするために、メールボックスを文書読取装置コントローラ上に設定するための好ましいサンプル画面表示４００である。
関連するエージェントは、データが文書読取装置から転送されるすべての適当なエージェントを含む。適宜なエージェントは、ストレージ・レポジトリ、サーバ、画像生成装置および光学文字認識システムを含むがそれに限定されない。画面に、メールボックスについての情報（Ｂｏｘ  Ｎｏ．４０２、メールボックスがパスワードで保護されているか４０４、ユーザが転送の際電子メール通知を望んでいるか４０６等）、および関連するエージェント４０８、４１０、４１２についての情報を表示する。ユーザはＥｄｉｔボタン４１４の選択によりメールボックス・プロパティを編集できる。その後、ユーザは、メールボックスに関連した多様なプロパティの編集が許可される。メールボックス関連のパスワードを変更する時は、Ｃｈａｎｇｅ  Ｐａｓｓｗｏｒｄボタン４１６を選択する。それにより、ユーザはパスワードを変更するように促される。メールボックスを削除するときは、Ｄｅｌｅｔｅボタン４１８を選択する。それにより、メールボックスは文書読取装置コントローラから削除される。
【００１９】
メールボックスに関連するエージェントを追加するときは、Ａｄｄ  Ａｇｅｎｔボタン４２０を選択する。その後、ユーザは、どのエージェントを追加したいか促され、そのようなエージェントに画像データを転送するのに適したデータ転送信号を選択するのに適切なテンプレートに導かれる。ユーザは、Ｄｅｌｅｔｅ  Ａｇｅｎｔボタン４２２を選択し、その後削除したいエージェントを選択することにより、エージェントを削除することができる。ユーザは、Ｅｄｉｔ  Ａｇｅｎｔボタン４２４の選択により、エージェントに対する所望のデータ転送信号を編集できる。その後、ユーザは、編集するエージェントを選択し、所望の転送信号を編集するのに適切なテンプレートに導かれる。
【００２０】
図５は、ＦＴＰサーバに生成された画像データを転送するのに適切なデータ転送信号を選択するのに好ましいサンプル画面表示５００である。５０２は、画像データを転送したいエージェントを表示する。その後ユーザは、ＦＴＰサーバ５０４、および画像データが転送されるＦＴＰサーバ・ポート５０６でサーバ設定をする。次にユーザは、ユーザ名５０８およびファイル・サーバ・アカウントに関するパスワード５１０を入力する。その後ユーザは、転送に失敗した場合の再試行のオプション５１２を選択して転送設定をする。転送に失敗した時のためにユーザが再試行を選択する場合、次にユーザはｒｅｔｒｙ  ｃｏｕｎｔ  ５１４およびＲｅｔｒｙ  Ｉｎｔｅｒｎａｌ  ５１６に入力する。
【００２１】
次に、ユーザは、画像データ用のファイル・パスを５１８で、およびファイル名を５２０で指定して、デスティネーション・パラメータを設定する。図２の、システムが複数のエージェントに画像データを転送することが可能なときに選択されたファイルフォーマットが５２２に示される。ファイルフォーマットはマルチページＴＩＦＦであることが好ましい。ユーザは、さらに５２４に示されたボックスをチェックすることにより、同一名の既存ファイルに上書きするかどうかを選択することができる。ユーザはその後、設定を保存するためにＯＫボタン５２６を、あるいは設定を取り消すためにＣａｎｃｅｌボタン５２８を選択することができる。
【００２２】
生成された画像データをＴＷＡＩＮエージェントに転送するための転送信号を選択するための好ましいサンプル画面表示６００は、図６に示される。画像データが転送されるエージェントは６０２に表示される。その後、ユーザは６０４でファイル名、および画像データが転送されることになっているフォルダ位置を６０６で指定する。ユーザはその後、設定を保存するためにＯＫボタン６０８を、あるいは設定を取り消すためにＣａｎｃｅｌボタン６１０を選択することができる。図２の、システムが複数のエージェントに画像データを転送することが可能なときに選択されたファイルフォーマットは、この画面には表示されない。ファイルフォーマットはマルチページＴＩＦＦであることが好ましい。
【００２３】
生成された画像データをファイルに転送するためのデータ転送信号を選択するための好ましいサンプル画面表示７００は、図７に示される。画像データが転送されるエージェントは７０２に表示される。その後、ユーザは、７０４でファイル位置を、７０６でファイル・パスを、および７０８でファイル名を指定する。図２の、システムが複数のエージェントに画像データを転送することが可能なときに選択されたファイルフォーマットが、７１０に表示される。ファイルフォーマットはマルチページＴＩＦＦであることが好ましい。ユーザはその後、設定を保存するためにＯＫボタン７１２を、あるいは設定を取り消すためにＣａｎｃｅｌボタン７１４を選択することができる。
【００２４】
生成された画像データを電子メールアドレスに転送するためのデータ転送信号を選択するための好ましいサンプル画面表示８００は、図８に示される。画像データが転送されるエージェントは８０２に表示される。その後、ユーザは、８０４でメールの転送元の名前、８０６で返信用電子メールアドレス、８０８でメールの宛先の名前、８１０でメールの件名、さらに８１２でメールに伴う任意のテキストを入力する。図２のシステムが複数のエージェントに画像データを転送することが可能なときに選択されたファイルフォーマットが、８１４に表示される。ファイルフォーマットはマルチページＴＩＦＦであることが好ましい。ユーザは、さらに８１６でメッセージ・フラグメンテーションの有無について指定することができる。ユーザはその後、設定を保存するためにＯＫボタン８１８を、あるいは設定を取り消すためにＣａｎｃｅｌボタン８２０を選択することができる。
【００２５】
生成された画像データをファクシミリ機器に転送するためのデータ転送信号を選択するための好ましいサンプル画面表示９００は、図９に示される。画像データが転送されるエージェントは９０２に表示される。その後、ユーザはファクシミリの転送元の名前を９０４に、返信用電子メールアドレスを９０６に、ファクシミリの宛先の名前を９０８に、ファクシミリの件名を９１０に、さらにファクシミリに伴う任意のテキストを９１２に入力する。図２のシステムが複数のエージェントに画像データを転送することが可能なときに選択されたファイルフォーマットが９１４に表示される。ファイルフォーマットはマルチページＴＩＦＦであることが好ましい。ユーザは、さらに９１６でメッセージ・フラグメンテーションの有無について指定することができる。ユーザはその後、設定を保存するためにＯＫボタン９１８を、あるいは設定を取り消すためにＣａｎｃｅｌボタン９２０を選択することができる。
【００２６】
生成された画像データをフォルダあるいは他のストレージ・レポジトリに転送するためのデータ転送信号を選択するための好ましいサンプル画面表示１０００は、図１０に示される。画像データが転送されるエージェントは１００２に表示される。その後、ユーザはフォルダ名を１００４に、フォルダ・タイプを１００６に、およびフォルダ・パスを１００８に指定する。ユーザが個人フォルダを選択する場合、ユーザはフォルダにアクセスするためにユーザのログイン名１０１０およびユーザのパスワード１０１２を用意しなければならない。ユーザはさらに１０１４にパスワードを確認し、再入力する必要がある。次に、ユーザは、１０１６にドキュメントの名前を入力する。ユーザはその後、設定を保存するためにＯＫボタン１０１８を、あるいは設定を取り消すためにＣａｎｃｅｌボタン１０２０を選択することができる。図２のシステムが複数のエージェントに画像データを転送することが可能なときに選択されたファイルフォーマットは、この画面には表示されない。ファイルフォーマットはマルチページＴＩＦＦであることが好ましい。
【００２７】
一旦ユーザが生成された画像データが転送されることになっているエージェントをすべて選択するとユーザは処理を開始し、またコントローラ１０４は、関連するエージェントへ画像データを転送する処理を始める。ステータスおよび任意のエラーに対する電子メール通知も上記の通りユーザのもとへ転送される。
【００２８】
本発明の好ましい実施例は、一般的にソフトウェアで実行されるが、当業者が容易に認識するように、ハードウェア、またはソフトウェアとハードウェアの組合せでも実行できる。
本発明は、好ましい実施例について詳細に説明しているが、添付の特許請求の範囲により定義されるような、発明の趣旨および適用範囲内において、多様な変更、置き換えおよび修正を行なうことができる。添付されたクレームに表現されるような本発明の範囲内の当業者により、明細書に記述され、例示されているものについて、材料や配置の多様な変更を行なうことができるものである。
【図面の簡単な説明】
【００２９】
【図１】本発明によるシステムの好ましい実施例のブロック図である。
【図２】文書読取装置に対する所望の設定を選択するためのサンプルテンプレートである。
【図３】システムが複数の複合エージェントに画像データを転送することを可能にするためのサンプルテンプレートである。
【図４】ユーザのメールボックスにエージェントを関連づけるためのサンプルテンプレートである。
【図５】生成された画像データをＦＴＰサーバに転送するのに適したデータ転送信号を選択するためのサンプルテンプレートである。
【図６】生成された画像データをＴＷＡＩＮエージェントに転送するのに適したデータ転送信号を選択するためのサンプルテンプレートである。
【図７】生成された画像データをファイルに転送するのに適したデータ転送信号を選択するためのサンプルテンプレートである。
【図８】生成された画像データを電子メールアドレスに転送するのに適したデータ転送信号を選択するためのサンプルテンプレートである。
【図９】生成された画像データをファクシミリ装置に転送するのに適したデータ転送信号を選択するためのサンプルテンプレートである。
【図１０】生成された画像データをフォルダに転送するのに適したデータ転送信号を選択するためのサンプルテンプレートである。
【図１】
2004222277.tif 000003
【図２】
2004222277.tif 000004
【図３】
2004222277.tif 000005
【図４】
2004222277.tif 000006
【図５】
2004222277.tif 000007
【図６】
2004222277.tif 000008
【図７】
2004222277.tif 000009
【図８】
2004222277.tif 000010
【図９】
2004222277.tif 000011
【図１０】
2004222277.tif 000012
【外国語明細書】
１  Ｔｉｔｌｅ  ｏｆ  Ｉｎｖｅｎｔｉｏｎ  
Ｓｙｓｔｅｍ  ａｎｄ  Ｍｅｔｈｏｄ  Ｆｏｒ  Ｔｒａｎｓｆｅｒｒｉｎｇ  Ｉｍａｇｅ  Ｄａｔａ  ｔｏ  ａ  Ｐｌｕｒａｌｉｔｙ  ｏｆ  Ａｇｅｎｔｓ
２  Ｄｅｔａｉｌｅｄ  Ｄｅｓｃｒｉｐｔｉｏｎ  ｏｆ  Ｉｎｖｅｎｔｉｏｎ
2004222277.tif 000013
2004222277.tif 000014
2004222277.tif 000015
2004222277.tif 000016
2004222277.tif 000017
2004222277.tif 000018
2004222277.tif 000019
2004222277.tif 000020
2004222277.tif 000021
３  Ｂｒｉｅｆ  Ｄｅｓｃｒｉｐｔｉｏｎ  ｏｆ  Ｄｒａｗｉｎｇｓ  
2004222277.tif 000022
Ｃｌａｉｍｓ
2004222277.tif 000023
2004222277.tif 000024
2004222277.tif 000025
2004222277.tif 000026
2004222277.tif 000027
2004222277.tif 000028
2004222277.tif 000029
１  Ａｂｓｔｒａｃｔ  
2004222277.tif 000030
2004222277.tif 000031
２  Ｒｅｐｒｅｓｅｎｔａｔｉｖｅ  Ｄｒａｗｉｎｇ  
ＦＩＧ１
ＦＩＧ１
2004222277.tif 000032
ＦＩＧ２
2004222277.tif 000033
ＦＩＧ３
2004222277.tif 000034
ＦＩＧ４
2004222277.tif 000035
ＦＩＧ５
2004222277.tif 000036
ＦＩＧ６
2004222277.tif 000037
ＦＩＧ７
2004222277.tif 000038
ＦＩＧ８
2004222277.tif 000039
ＦＩＧ９
2004222277.tif 000040
ＦＩＧ１０
2004222277.tif 000041